(57)【要約】 【課題】操作基板上の実装部品を、一様に風雨等の外部環境から隔離して遮断すること。【解決手段】  本体２Ｂと蓋体２Ａとから構成される筐体２に操作基板１７を設け、蓋体２Ａに複数の釦穴４１，４２を設けて、その釦穴４１，４２に押し釦４６を挿入して、蓋体２Ａ上の操作面に露出させて操作部４を形成し、押し釦４６の下端を操作基板１７上に実装されたスイッチ群１７ａに近接して設けた電子機器において、複数の押し釦４６を樹脂成型された釦部材４３で構成し、操作基板１７に設けた設定用のスイッチ１７ｂ〜ｅを釦部材４３に形成した延設部４５により覆う。ラバー材から形成される延設部４６は、釦部材４３の釦部の下方に前面側に張り出すように設けられ、設定用スイッチは、操作基板上に実装されたスイッチ群の下方に設けられる。蓋体の釦穴の下方に形成した開口部から延設部を手前側にめくって、設定用スイッチを調節する。【選択図】図１２
2006087129.tif 000002
【特許請求の範囲】
【請求項１】
本体と蓋体とから構成される筐体に操作基板を設け、前記蓋体に複数の釦穴を設けて、該釦穴に背面側から押し釦を挿入して、蓋体上の操作面に僅かに露出させて操作部を形成し、前記押し釦の下端を前記操作基板上に実装されたタクトスイッチ群に近接して対面するように設けた電子機器において、
前記複数の押し釦を樹脂成型された釦部材で構成し、
前記操作基板に設けた設定用のスイッチを前記釦部材に形成した延設部により覆うことを特徴とする電子機器。
【請求項２】
前記延設部は、釦部材の釦部の下方に前面側に張り出すように設けられ、前記設定用スイッチは、前記操作基板上に実装されたタクトスイッチ群の下方に設けられることを特徴とする請求項１記載の電子機器。
【請求項３】
前記釦穴の下方に開口部を形成し、該開口部から前記延設部を手前側にめくって、前記設定用スイッチを調節することを特徴とする請求項１又は請求項２記載の電子機器。
【請求項４】
前記釦部材は、弾性を有するラバー材から形成されることを特徴とする請求項１乃至請求項３記載の電子機器。
【発明の詳細な説明】
【技術分野】
【０００１】
近時、多階層の建築物で構成された集合住宅（共同住宅）の共通玄関に集合玄関機が設置されて、棟内の全住戸居住者の防災や防犯等のセキュリティ機能を有する集合住宅システムが採用されている。集合玄関機には“逆マスターキー”と呼ばれる錠前機構が組み込まれ、各住戸の居住者の所持する固有の玄関キーを利用して施錠された共通玄関扉の開錠が可能になっている。集合玄関機にはマイクとスピーカ及びカメラが内蔵されて、各住戸に設置されたモニタ付きの住宅情報盤と棟内の管理室等に集中して設置された通話制御装置や映像制御装置等に接続される。そして、各階層の住戸の居住者は自宅に設置された住宅情報盤を利用して、来訪者の来訪内容や管理室との防犯・防災等に関して音声や映像を通した情報の授受を行なうことができる。
【０００２】
本発明は、電子機器に係り、さらに詳しくは、例えば上述したような集合住宅システムにおける共通玄関に設置される集合玄関機のような電子機器に関するものである。
【背景技術】
【０００３】
従来のこの種の電子機器として、特許文献１に記載の装置が知られている。この公報記載のロビーインターホンの構成が、図１８（ａ），（ｂ）に示されている。図１８の（ａ）において、３００はロビーインターフォン、３５０は化粧パネル、３５０ｂは化粧パネル３５０の下方の開口、３５８は下端部に六角穴の操作頭部３５８ａを形成した連結棒、２００は内蔵のカメラ付ドアーフォンの本体である。また、図１８（ｂ）において、２０８はカメラ、２１４は支持台、２１５はピン、２１６は傾動アーム、２１７はスプリング、２２４はボス板、２２５はガイド部材、２２６は下端に操作頭部３５８ａと同じ操作頭部（不図示）を形成したネジ棒である。ネジ棒２２６の操作頭部には、抜け止めが施された連結棒３５８の上端が結合されている。
【０００４】
図１８（ａ）に記載された構成のロビーインターホン３００は、化粧パネル３５０を玄関口の外の壁面に突出させて取り付けられる。そして、化粧パネル３５０の下面の開口３５０ｂに臨んだ操作頭部３５８ａにドライバの先端を嵌装させて、連結棒３５８を介してカメラ付ドアーフォンの本体２００のネジ棒２２６を回転する。ネジ棒２２６が回転するとガイド部材２２５がボス板２２４の立設面に沿って上下方に移動し、スプリング２１７で弾性力を付与された傾動アーム２１６がピン２１５を中心に傾動する。そして、カメラ２０８を上下動可能に支持した支持台２１４がピン２１５によって傾動して、カメラ２０８の上下撮像角（カメラの俯仰角）の調整ができるようになっている。なお、図１８（ａ）の３５３はテンキー、３５５は表示ブロックである。また、公報には特に指示されていないが、３５４は“呼出”キー、３５６はスピーカ機構、３５７は逆マスターキーからなる錠前機構である。
【特許文献１】特開平５−１７６２０７号公報
【発明の開示】
【発明が解決しようとする課題】
【０００５】
図１８（ａ），（ｂ）に示された従来の装置は、上述のように化粧パネル３５０を取り外すことなくカメラ２０８の上下撮像角を調節することができる等の特長がある。しかしながら、この従来のロビーインターホン３００には、下方に向かうにしたがって大きく突出して後退する斜面状の金属の傾動アーム２１６とこの傾動アーム２１６の下方で側面視Ｌ字状のボス板２２４に沿ってネジ棒２２６に螺合して上下するガイド部材２２５等が設けられている。その上、ネジ棒２２６には、下端に同じ構造の操作頭部３５８ａを設けた連結棒３５８が連結されており、調整頻度の少ないカメラ２０８の上下撮像角の調整装置が極めて複雑でコスト高になるという致命的な問題点があった。
【０００６】
本発明は、上述したロビーインターホンのような従来の電子機器の問題点を解消するためになされたもので、操作部の押し釦機構を改良して構造を簡素化したこの種の電子機器を提供するようにしたものである。
【課題を解決するための手段】
【０００７】
本発明は、本体と蓋体とから構成される筐体に操作基板を設け、前記蓋体に複数の釦穴を設けて、該釦穴に背面側から押し釦を挿入して、蓋体上の操作面に僅かに露出させて操作部を形成し、前記押し釦の下端を前記操作基板上に実装されたタクトスイッチ群に近接して対面するように設けた電子機器において、複数の押し釦を樹脂成型された釦部材で構成し、操作基板に設けた設定用のスイッチを前記釦部材に形成した延設部により覆うことを特徴とするものである。
【０００８】
また、延設部を、釦部材の釦部の下方に前面側に張り出すように設け、設定用スイッチを、操作基板上に実装されたタクトスイッチ群の下方に設けるようにしたことを特徴とするものである。
【０００９】
更に、釦穴の下方に開口部を形成し、その開口部から前記延設部を手前側にめくって、設定用スイッチを調節することを特徴とするものである。
【発明の効果】
【００１０】
本発明は以上のように構成したので、操作基板上に実装されたタクトスイッチ素子群とその付近の設定用スイッチの前面を同時に覆うことができる。したがって、作用や機能の異なる操作基板上の実装部品を、一様に風雨等の外部環境から隔離して遮断することができる。このため、操作部の部品点数が少なくなり、組立が容易でコスト的にも効果が期待できる。
【００１１】
特に、アドレスを設定する重要な回路部品等が延設部によって覆われるので、関係者外の接触や操作に伴う誤動作や故障の発生を防止することもでき、また各種回路部品の調節は延設部をめくるだけで容易に行うことが可能である。
【発明を実施するための最良の形態】
【００１２】
以下、本発明の実施の形態を前述の集合玄関機に適用した場合を例示して、図面により説明する。
実施の形態１．
図１は本発明の実施の形態１の構成を示す正面図、図２は図１の底面図、図３は図１の背面図、図４と図５は図１のカメラ部側と端子部側の各縦断面説明図、図６は窓板の正面図である。図１乃至図６において、１は集合玄関機、２は集合玄関機１の筐体である。筐体２は縦長長方形の箱状に樹脂で成型され、内部に収容室２０を備える。２Ａは筐体２の前面側の蓋体、２Ｂは背面側の本体、２Ｃは裏蓋である。
【００１３】
３は筐体２の左側上段部に配置されたカメラ部、４は操作部である。操作部４は左側に操作に関連する表示部を設けて、収容室２０の中段部でやや広い収容容積を占有する。５は筐体２の左下段部に設けられた放音部、６と７は操作部４を挟んで上段と下段の各右隅部に設けられた端子部と錠前部である。１１はカメラ部３と表示部の前面に亘って設けられた透明な窓板、１２は不透明材のシート状のマスクである（図６参照）。１３は鎧戸状の放音孔、１４は集音孔、１５は錠前である。また、１６は第１基板、１７は輪郭が裏蓋２Ｃとほぼ同一の第２基板である。第１基板１６は端子部６に設けられて端子基板を構成し、第２基板１７は操作部４の回路部品を実装して操作（制御）基板を構成している。筐体２を構成する蓋体２Ａと本体２Ｂの成型構造が、図７〜１０に示されている。
【００１４】
図７〜１０を含めて、２１は蓋体２Ａにおける前面の蓋板、２２は蓋板２１の四辺を折り曲げて背面側に延長した周壁である。蓋板２１の左側の上部寄りの窓枠には窓板１１が装着され、その裏面に監視窓１２ａと長方形の表示窓１２ｂ及び案内表示１２ｃを設けたマスク１２が添着されている。案内表示１２ｃは半透明な複数の三角形１２ｄと横書きの白抜き文字の文章１２ｅで構成され、マスク１２に形成されている。マスク１２を省略して、監視窓１２ａ等を直接窓板１１に形成することもできる。２３は本体２Ｂの前面板、２４は錠前部７を除き部分的に高さの異なる本体２Ｂの背面側の周辺を囲む側壁、２５は側壁２４からほぼ直角に周囲に張り出したフランジ、２６はフランジ２５の前面に形成されて切欠部により部分的に欠落した周壁である。
【００１５】
２７はフランジ２５の四隅で斜めに貫通した長孔、２８は背面部を有する端子部６の上，下の側壁に設けられた配線の導出口である。また、２９はマイク（後述）の集音を効果的にするための開口２９ａを囲むポット状の遮音壁で、前記集音孔１４に対応する位置に設けられている。そして、本体２Ｂのフランジ２５の裏側を取付面９として、本体２Ｂが長孔２７に挿入された取付用のネジで集合玄関の壁面等に取り付けられる。取り付けられた本体２Ｂ側の周壁２６に蓋体２Ａ側の周壁２２が嵌め合わされて、蓋体２Ａがその前面に装着される。上述のような構造に成型された蓋体２Ａと本体２Ｂからなる筐体２の所定の位置に、以下に説明するようなカメラ部３におけるカメラの俯仰角調整機構等の本発明の特徴的な機構部を備えた集合玄関機１が構成される。
【００１６】
１．カメラの俯仰角の調整機構
３０はカメラの俯仰角の調整機構で、窓板１１の裏側のカメラ部３に設けられている。図３，４，９，１０において、３１は本体２Ｂにおける前面板２３に穿設された長方形の開口部、３２と３３は開口部３１の両側で背面側に立設され弾性が与えられた一対の軸受けボスと切換リブ、３４は黒色や灰色の樹脂で成形され裏カバーを嵌めた六面体角箱形のカメラケースである。一対の軸受けボス３２の突出端の対向面には、続いて説明する支持ボス３４ｃと同じ幅の滑り溝が形成されている。また、この滑り溝に連続して、途中に軸受け穴も設けられている。更に、切換リブ３３の先端には、互いに対向する半球状の突出部３３ａが形成されている。３５は複数の補強リブで、カメラ部３を区画する側壁の両側の内壁面に形成されている。カメラケース３４内にはカメラ本体（不図示）が収納され、その構造が図１１に示されている。
【００１７】
図１１（ａ），（ｂ）において、３４ａは監視窓１２ａに対向する受光筒、３４ｂは受光筒３４ａの上下に多重環状に盛り上がるように形成された滑り止め用の隆起部、３４ｃは両側面の支持ボス、３４ｄは支持ボス３４ｃを挟む水平方向の平行壁、３４ｅは３個の円筒孔の隣接部を重ねて団子状又は五輪状に繋いだ連鎖孔である。連鎖孔３４ｅは長方形の突出台３４ｆに設けられ、支持ボス３４ｃを中心とする半径ｒの円弧上に形成されている。そして、カメラケース３４は本体２Ｂのカメラ部３に背面側から挿入されて、左右の支持ボス３４ｃを滑り溝に沿って滑り込ませて軸受けスタッド３２の軸受け孔に嵌合すると共に、連鎖孔３４ｅを切換リブ３３の突出部３３ａに係合させてカメラ部３内に組み込まれる。
【００１８】
このようにしてカメラケース３４を組み込んだ筐体の本体２Ｂは、前記のように取付用のネジで集合玄関の壁面等に取り付けられる。例えば、取付の基準状態では、突出部３３ａが連鎖孔３４ｅの真ん中の円筒孔に嵌合してカメラケース３４が図（ｂ）の実線位置にあるものとする。カメラの俯仰角を調整するときは、開口部３１内に臨んだカメラケース３４の前面の、例えば上の隆起部３４ｂに人差し指の指先を当てて押し付ける。この時、下の隆起部３４ｂには親指を当てるようにする。指の押し付け力で両側の切換リブ３３が押し広げられながら、カメラケース３４が軸受け孔を中心に反時計方向に回動する。そして、突出部３３ａの連鎖孔３４ｅとの嵌合が、真ん中の連鎖孔３４ｅから左端の連鎖孔３４ｅに切り換えられる。
【００１９】
このため、カメラの光軸Ｏ−Ｏが俯仰角θの上限に達して、カメラケース３４が上向きに傾く。逆に、下の隆起部３４ｂに力を加えれば、カメラケース３４が時計方向に回動して実線の位置に復元する。更に、同方向の力を加えると突出部３３ａの嵌合が右端の連鎖孔３４ｅに移し替えられてカメラケース３４が下向きに傾くことになる。このようにして、取付高さに適した俯仰角が設定されてからその前面に蓋体２Ａが装着されて、棟内における共通の玄関先の壁面に集合玄関機１が設置される。そして、筐体２の収容室２０内のカメラが、前面の監視窓１２ａを通して視角内を監視する。
【００２０】
この場合、カメラケース３４の組み込み時には、支持ボス３４ｃを滑り溝に沿わせて滑り込ませて軸受けボス３２の軸受け孔に簡単に嵌合させることができる。また、調整時には突出部３３ａが連鎖孔３４ｅを順次間欠的に移し替えて移動するので、切換リブ３３の可撓性に無理を与えることなく円滑に切り換えることができる。さらに、軸受けボス３２は平行壁３４ｄに挟まれているので、カメラケース３４の過回転が自動的に防止される。
【００２１】
この結果、取付時に装置の前面から簡単な操作で、連鎖孔３４ｅの円孔の数を増減して任意の角の範囲内でカメラの俯仰角θを容易に調整することができる。また、連鎖孔３４ｅの円孔の半径を増減して、突出部３３ａと連鎖孔３４ｅとの係合強さを加減できる。受光筒３４ａの上下に形成された多重環状の隆起部３４ｂは調整時における指の滑りを止めて、操作性を高め且つ怪我の発生を防止することができる。しかも、カメラケース３４を軸受けボス３２と切換リブ３３で回動可能に支持したので、傾動アームやネジ棒を利用した前述の従来装置に比較して著しく構成が簡単なカメラの俯仰角の調整機構が提供できる。
【００２２】
２．押し釦機構
４０は押し釦機構で、操作部４内に構成されている。４１と４２はほぼ同一形状の複数の釦穴、４３は釦部材である。釦穴４１，４２は長方形のほぼ同一形状で、蓋体２Ａと本体２Ｂの同一位置に形成されている。釦部材４３の正面図と側面図及び断面図が、図１２の（ａ），（ｂ），（ｃ）に示されている。釦部材４３は角形の釦部４４と、釦部４４の下方の前面側に張り出したエプロン状の延設部４５の２部分で構成されている。４６は釦部４４に設けられた押し釦で、バネ性を与える薄い連結部４７を介して周辺部に連結されて断面逆凸型に突出する。釦部材４３には硬度５０度程度で弾性を有するシリコーンゴム等のラバー材が使われて、これらの樹脂で一体成型されている。
【００２３】
釦部材４３に形成された押し釦４６は、（３×４）＋２の合計１４個設けられている。各押し釦４６の表面には“０〜９”の数値と“アスタリスク”と“取消”と“音声ガイド”及び“呼出”の標識や文字が印刷等で表示されている。このような釦部材４３は、全ての押し釦４６を本体２Ｂの釦穴４２に背面側から挿入して装着される。装着状態では押し釦４６の先端が蓋板２１上の操作面に僅かに露出し、各下端が第２基板１７に実装されたタクトスイッチ群に近接して対面するようになっている（図５）。
【００２４】
釦部材４３の装着状態の平面図が、図１３に２点鎖線で示されている。図のように、釦部材４３は本体２Ｂと第２基板１７との隙間内に弾性的に介在されて、第２基板１７上の１４個のタクトスイッチ１７ａを包囲している。また、釦部材４３の前面に垂下した延設部４５は、タクトスイッチ１７ａの下方に実装された作用の異なるＤＩＰスイッチ１７ｂ等の設定用のスイッチの前面を覆うようになっている。このＤＩＰスイッチ１７ｂの他に、集合玄関機１のアドレススイッチ１７ｃと次に説明するスピーカのボリュームを調整するボリュームスイッチ１７ｄ及びリセットスイッチ１７ｅ等の前面も延設部４５に覆われている。
【００２５】
このように本発明の実施の形態１の釦部材４３によれば、第２基板１７上に実装されたタクトスイッチ群１７ａとその下方のＤＩＰスイッチ１７ｂを含む各種設定用のスイッチの前面を同時に覆うことができる。したがって、作用や機能の異なる第２基板１７上の実装部品を、一様に風雨等の外部環境から隔離して遮断することができる。この結果、操作部４の部品点数が少なくなり、組立が容易でコスト的にも効果が期待できる。なお、ＤＩＰスイッチ１７ｂ等の設定を変更する場合は、まず本体２Ｂから蓋板１を外し、本体２Ｂの釦穴４２の下方に形成された開口部４５ｂから延設部４５を手前側にめくるようにして、ＤＩＰスイッチ１７ｂ等を露出させて調節すればよい。このように釦部材４３はラバー材によって形成されるので、延設部４５がめくれ易い。また、別部材を設けることなく、釦部材４３をそのまま延長させて延設部４５を形成できる。このように、集合玄関機１のアドレスを設定する重要なアドレススイッチ１７ｃ等が延設部４５によって覆われるので、関係者外の接触や操作に伴う誤動作や故障の発生を防止することもできる。
【００２６】
なお、図１３でタクトスイッチ群１７ａの上方に示された６１は、前述のマイクロホン（マイク）である。また、１７ｆは表示窓１２ｂに対向して４桁の数値を表示する７セグメント表示器、１７ｇは１列に並んだ複数個の発光ダイオードで、何れもタクトスイッチ群１７ａと共に第２基板１７の実装面に実装されている。複数の発光ダイオード１７ｇはそれぞれ本体２Ｂの背面に設けられた遮光筒１７ｈ内に挿通されて（図４，９，１０）、案内表示１２ｃの半透明な三角形１２ｄに対向している。そして、７セグメント表示器１７ｆと発光ダイオード１７ｇは共に押し釦機構４０の押し釦４６の操作に関連して、数値と案内表示１２ｃの項目をキー入力に応じて順次点灯表示するようになっている。
【００２７】
３．スピーカ機構
スピーカ機構５０の構成を示す分解説明図が、図１４に示されている。図１４（ａ），（ｂ）において、５１はスピーカ、５２は取付ボックス、５３は金属の固定板である。取付ボックス５２は樹脂で成型され、図１４（ｂ）に示すように水平方向の放音溝５２ａを形成した角板部５２ｂとスピーカ５１が挿入される円筒状の遮音壁５２ｃで構成されている。角板部５２ｂの四隅には耳状に張り出した円筒状の固定部５２ｄが設けられ、固定部５２ｄに本体２Ｂのネジボス５２ｅが嵌入するようになっている。５４は左右の隙間シール、５５はリング状のパッキン、５６は防水シートである。隙間シール５４にはやや厚めのポリウレタンが用いられ、防水シート５６にはこの実施の形態１では不織布又は不織布を主材とする布が使用されている。なお、図示しないが、隙間シール５４とネジボス５２ｅの間には、ゴムワッシャが設けられる。
【００２８】
この種の防水膜として多用されるポリエチレンフィルムは、組み付け時等の接触で切れ易く亀裂が生じて防水不能になることが多い。これに対して、不織布は繊維で構成されているので、変形自在で亀裂は皆無になる。特に、コーンの前面に不織布を配置すると防水性と通気性を兼備しているので、発生した音波がほとんどそのまま前方に伝播されて筐体２の内部への漏洩音も殆ど生じない。したがって、スピーカ５１の発生した音波を開口５２ｆを介して、放音溝１３，５２ａから集合玄関機１の前面に集中的に放射するという特色もある。ここでは、防水シート５６としての不織布は厚さ３００μｍで通気度３５ｍｌ／ｃｍ2 ・ｓｅｃのものが使用され、スピーカ５１の外径より大きい円形に切り取られる。
【００２９】
そして、図１４（ａ）に示すように、スピーカ５１はコーンの前面が不織布からなる防水シート５６で覆われ、前後をパッキン５５と隙間シール５４で囲まれて取付枠５２の遮音壁５２ｃ内に密封状態で収容される。こうして、スピーカ５１を収容した取付枠５２は、更にもう１つの隙間シール５４を介して本体２Ｂの背面に固定されている。したがって、前記した釦部材４３を用いた押し釦機構４０と同様に、風雨等の季節や気象等の外部環境の変化に基づく悪影響を受けるようなことが発生しない。また、取付枠５２の遮音壁５２ｃ内に密封状態で収容されて固定されるので、振動の発生がほとんど無く音質の低下が防止される。
【００３０】
一方、図１０に示すように、本体２Ｂの背面側で高さの低い側壁２４で包囲された収容領域内には、スピーカ機構５０を有する放音部５と共にマイク６１を包囲するポット状の遮音壁２９が設けられている。詳しくは図示されていないが、マイク６１もスピーカ５１と同様に不織布又は不織布を主材とする布からなる防水シート６６に覆われて、上記の遮音壁２９に囲まれて集音孔１４に対向している（図５，１３）。この結果、上記のような構成の本発明のスピーカ機構５０によれば、同一筐体内に設けられたマイク６１にノイズ音を加えるようなこともない。
【００３１】
因みに、本願発明者達の実験結果による防水シートの影響度を示すマイク６１の入力特性を示せば、図１５の通りである。図１５（ａ）はシートのないマイクの場合で、（ｂ）と（ｃ）はそれぞれ不織布とポリエチレンフィルムのシートを用いたときの特性を示す。図１５に示した比較図から明かのように、不織布の防水シート５６，６６を用いた本発明のスピーカ機構５０とマイク６１によれば、ポリエチレンシートに比べて周波数帯域幅の狭小化が防止され、送，受話中の音質も向上すると見なすことができる。
【００３２】
４．錠前機構筐体
２の下段のスピーカ部５の右側に並んで、前述した逆マスターキーを利用する錠前部７が配置されている。錠前部７の錠前機構７０が、図１６の（ａ），（ｂ）に示されている。実施の形態１の錠前機構７０の取付構造を大別すると、基本的な錠前の構造の相違に基づいて２つの取付型式が採用されている。図１６（ａ）にその１型式のリング型が示され、図１６（ｂ）に別の構造型式のフレーム型が示されている。７１はΦ字状の一対のネジボスで、蓋体２Ａの背面に形成されている（図８ほか）。７１ａはネジボス７１の円柱部、７１ｂは円柱部７１ａの左右に形成された板状部である。円柱部７１ａの軸心には金属ナット（金属ローレットでもよい）がインサートされて、２つの耳を形成した錠穴７０ａを挟んで蓋体２Ａの裏面側の上下に突設されている。なお、このネジボス７１を設け、取付板７３にネジボス７１に対応する切欠部７３ｂを設けることで、取付板７３が回転するのを防止できる。
【００３３】
図１６（ａ）において、７２は内周のネジの螺設面に軸方向の回り止め用の溝を設けた化粧リング、７３は角形の取付板、７４は爪７４ａを設けた回転止め、７５はパッキン、７６は調整ナット、７７は外周にネジの挿着部７７ａを形成しリード線７７ｂを接続したスイッチ本体である。７３ａは取付板７３に穿設された挿着孔、７３ｂは対向辺に形成された円弧状の切欠部である。取付板７３の挿着孔７３ａの内径Ｒはスイッチ本体７７の挿着部７７ａの挿着径に対応し、切欠部７３ｂ間の間隔と円弧は両ネジボス７１に接触するように両者間の距離と円柱部７１ａの半径にほぼ等しく作られている。
【００３４】
図１６（ａ）のスイッチ本体７７の組付けは、先ず調整ナット７６をスイッチ本体７７の挿着部７７ａにやや深めにネジ込んでからパッキン７５と回転止め７４を嵌めておく。挿着孔７３ａと錠穴７０ａとを位置合わせをしながら、取付板７３を蓋体２Ａの背面にあてがう。当てがった取付板の挿着孔７３ａの中に、上記の回転止め７４等を嵌めたスイッチ本体７７を挿入して先端を露出する。前面に露出した挿着部７７ａに、化粧リング７２をねじ込む。次いで、回転止め７４を前方に移動して、爪７４ａの先を化粧リング７２の溝に差し込んで回り止めをする。そして、調整ナット７６を先端側に螺進すれば、挿着部７７ａが締め付けられてスイッチ本体７７が蓋体２Ａに取り付けられる。
【００３５】
スイッチ本体７７の取付時においては、取付板７３は切欠部７３ｂを設けた対向辺がネジボス７１の円柱部７１ａと板状部７１ｂの側面に接触して嵌合状態に挾着されている。したがって、前述の逆マスターキーの取付用に、特別な取付用のネジが不必要な錠前機構７０が構成されている。よって、この構成の取付板７３を用いた実施の形態１によれば、組立や交換作業等の時間が掛からず部品点数の削減に寄与することになる。
【００３６】
本発明では上記の挿着孔７３ａの内径を段階的に形成した取付板７３が準備されており、この種の各メーカーで独立的に製作した挿着径が異径で多機種の逆マスターキーの取付に支障無く対応できるようになっている。なお、スイッチ本体７７の挿着径が比較的に大きく錠穴７０ａとほぼ等しいときは、取付板７３を用いることなく爪７４ａを錠穴７０ａの耳を介して化粧リング７２の溝に直接差し込む。そして、調整ナット７６を裏側から締め付けて、スイッチ本体７７が蓋体２Ａに取り付けられる。
【００３７】
また、図１６（ｂ）において、７８はシリンダー、７９は取付用のフレームである。７９ａはフレーム７９の取付ネジ、７９ｂはシリンダー７８の取付ネジ、７９ｃはリード線である。２本の取付ネジをネジボス７１の円柱部７１ａにインサートされた金属ナットに螺合して、蓋体２Ａの背面にフレーム７９を取り付ける。シリンダー７８のキーホールにキーを奥まで差し込んで、差し込んだキーを中心軸上に保ちながらシリンダー７８を前面からフレーム７９側のナットに一杯にねじ込む。
【００３８】
仮締めしたシリンダー７８を回転してキーホールを所定の位置に合わせてから取付ネジ７９ｂでシリンダー７８を固定して錠前機構７０が組み付けられる。図１６（ｂ）の錠前機構７０では、蓋体２Ａに形成されたネジボス７１が直接シリンダー７８の取付に利用されている。上述のように、本発明の実施の形態１によれば、取付面の背面に形成された一対のΦ字状のネジボス７１と、このネジボス７１の間に対向辺が嵌合的に挿入されて挿着孔７３ａ設けた取付板とを備えた錠前機構７０が構成されている。この結果、挿着径が異径で多機種なリング型は勿論のこと、ネジを利用してシリンダーを取り付ける構造のフレーム型等のほとんどの逆マスターキーに適用できる汎用式の錠前機構７０を提供することができる。
【００３９】
５．その他の特徴
この他、本発明の実施の形態１の特徴として、次のような構成も採用されている。その１つとして図９に示すように、本体２Ｂの背面に十字状の複数個の支えスタッド８１を設けたことを挙げることができる。支えリブ８１は前面板２３の端子部６内の背面に固定された第１基板１６に接触し（図５）、これを位置決めしながら支持する機能を果たしている。支えリブ８１の構造は詳しい図示を省略したが、長方形の角柱に三角形の補強翼を付設したような形状になっている。したがって、円柱状のネジボス等に比べると本体２Ｂ上の占有面積が遥かに少なくなり、本体２Ｂの樹脂の成型に当たっても熱容量が小さくなり品質を落とす“ヒケ”等の発生を抑制することもできる。また、支えリブ８１の第１基板１６との接触面も狭い面積で済むので、第１基板１６の実装面積を広げることになり、結果的に装置の小型化の実現が可能になる。
【００４０】
なお、図５の点線で示されているように、この支えリブ８１を幾分変形した複数の支えリブ８２が、第２基板１７の背面を支えるように裏板２Ｃにも形成されている。裏板２Ｃに設けた支えリブ８２は、補強翼が十字状に形成されている。したがって、支えリブ８２を設けた裏板２Ｃによって、成型時の“ヒケ”等の発生防止と基板の小型化に寄与できる等の効果が生じることには変わりがない。しかも、支えリブ８１を設けた第２基板１７は同図に示すように、第２基板１７と本体２Ｂに共締め構造に作られていて理論上固定用のネジの利用を半減することも可能である。
【００４１】
また、実施の形態１のその他の特徴として、蓋体２Ａの本体２Ｂへの装着構造も追記したい。本発明の蓋体２Ａの装着構造によれば筐体２の下部の周壁２２とフランジ２５に形成されたブロック状の螺送部９０Ａと螺入部９０Ｂ（図８，９，１０）間をネジ結合する装着ネジ９１（図２）が利用される。装着ネジ９１は螺送部９０Ａに設けられた内径の小さい保持孔（不図示）に強制的に押し込まれて、螺送可能に保持される。一方、螺入部９０Ｂにはナット室が設けられ内部には金属の角ナット（不図示）が着脱自在に収容されている。そして、蓋体２Ａの係止爪９３（図８）を本体２Ｂの上部の孔に係止してから装着ネジ９１を角ナットに螺合して、蓋体２Ａが本体２Ｂに装着される。この装着構造によれば、２本のネジで蓋体２Ａが装着され且つ装着ネジ９１の紛失もなく、しかもブロック相互の接触により締付け過剰で薄い樹脂製の周壁２２と２６が亀裂したり変形するようなことも発生しない等の効果が生じる。
【００４２】
こうした装着構造により蓋体２Ａが本体２Ｂに装着されて、壁面等を取付面９とした集合玄関機１が集合住宅の玄関先に設置される。各棟の玄関先に設置された本発明の集合玄関機１の実施例が、図１７の模式図で示されている。図１７において、１０１は各住戸に設けられたモニタ付きの住宅情報盤、１０２は住戸の玄関口のドアホン、１０３はドアホン１０２を介して住宅情報盤１０１に接続された火災感知器、１０４はガス漏れ警報器である。また、１０５は管理室の通話・映像制御装置、１は既に説明したカメラ付集合玄関機で、これらの構成により前述の多階層の集合住宅システムが構成されている。
【００４３】
そして、前述のように共通玄関先に設置された集合玄関機１を通して、各階層の住戸の居住者は自宅内のモニタ付きの住宅情報盤１０１を利用して、来訪者の来訪内容や管理室との防犯・火災等に関して音声や映像を通した情報の授受を行なうことができるようになっている。また、外出先から戻って錠前機構７０のキーホールに所持する自宅のキーを差し込んで所定角回転すると、スイッチ本体７７，７９がＯＮになり集合玄関扉が開錠される。
【００４４】
一方、来訪者が玄関先の集合玄関機１の前面の押し釦４６で訪問先の住戸の番号を入力すると、表示窓１２ｂ内の液晶表示器１７ｆが入力数値を順次表示する。入力した住居番号が間違ったときは、“取消”キーで取り消して再入力する。液晶表示器１７ｆの表示数値の確認後に“呼出”用の押し釦４６を押すと、集合玄関機１と訪問先の住戸内の住宅情報盤１０１が接続されて玄関先で住戸の居住者と会話を交わすことができる。
【００４５】
なお、上述の実施の形態では本発明を玄関先の壁面取付型の集合玄関機に適用した場合を例示して説明したが、内部に同種の電子部品類を収容するものであれば他の装置でもよく、要するに電子機器であれば全て本発明を適用することができる。さらに、実施の形態で説明したカメラやスピーカ機構のシール材或いはラバー釦等の形状・材質・個数等についても、必ずしも実施の形態で説明した構成に限定するものではない。
【００４６】
本発明は、監視窓を通して前面の視角内を監視するカメラを収容室内に収容した筐体を備えた電子機器において、筐体にそれぞれ一対の軸受けボスと切換リブを形成し、この軸受けボスと切換リブによりカメラを内部に収容して前面に受光部を設けた角箱形のカメラケースを間欠的に回動可能に支持したカメラの俯仰角調整機構を設けた電子機器を構成した。また、上記手段１において、切換リブに形成した半球状の突出部をカメラケースの両側面に形成した連鎖孔に係合させた電子機器を構成した。
【００４７】
また、上記手段１または２において、受光部を設けたカメラケースの前面の上下に滑り止め手段を設けた電子機器を構成した。この構成の結果、取付時に装置の前面から簡単な操作で、連鎖孔の円孔の数を増減して任意の角の範囲内でカメラの俯仰角を容易に調整することができる。また、連鎖孔の円孔の半径を増減して、突出部と連鎖孔との係合強さを加減することができる。また、受光筒の上下に形成された滑り止め手段を設けたので、操作性を高め且つ怪我の発生を防止することができる。しかも、カメラケースを軸受けスタッドと切換リブで回動可能に支持したので、傾動アームやネジ棒を利用した従来装置に比較して著しく構成が簡単なカメラの俯仰角の調整機構が提供できる。
【００４８】
また、本発明は、樹脂成型された釦部材の複数の押し釦を操作面に形成された各釦穴から露出させて、この釦部材で背面側に設けられた操作基板上のスイッチ素子群を包囲して各押し釦で操作可能に操作部に装着してなる筐体を備えた電子機器において、釦部材に延設部を形成してこの延設部によりスイッチ素子と異なる回路部品を覆う押し釦機構を設けた電子機器を構成した。この構成の結果、操作基板上に実装されたスイッチ素子群とその付近の各種回路部品の前面を同時に覆うことができる。したがって、作用や機能の異なる操作基板上の実装部品を、一様に風雨等の外部環境から隔離して遮断することができる。このため、操作部の部品点数が少なくなり、組立が容易でコスト的にも効果が期待できる。特に、アドレスを設定する重要な回路部品等が延設部によって覆われるので、関係者外の接触や操作に伴う誤動作や故障の発生を防止することもでき、また各種回路部品の調節は延設部をめくるだけで容易に行うことが可能である。
【００４９】
また、本発明は、蓋体に設けられた放音孔の背面の収容室内にスピーカを固定して収容した筐体を備えた電子機器において、蓋体の背面側に設けられた筒状の遮音壁内にスピーカのコーンの前面を防水シートで包囲すると共に、シール材を介して密封状態に収容して固定したスピーカ機構を設けた電子機器を構成した。また、上記手段５において、防水シートとして不織布又は不織布を主材とする布を用いた電子機器を構成した。この構成の結果、風雨等の季節や気象等の外部環境の変化に基づく悪影響を受けるようなことが発生しない。また、振動の発生が無く、音質の低下も防止される。さらに、同一筐体内に設けられたマイクに、ノイズ音を加えるようなこともない。
【００５０】
また、本発明は、蓋体に穿設された錠穴に逆マスターキーの挿着部を挿通し、この逆マスターキーのキーホールを前面に露出させて背面側の収容室内にスイッチ本体を収容してなる筐体を備えた電子機器において、蓋体の背面側における錠穴の両側に円柱部と板状部からなるФ字状の一対のネジボスを設け、このネジボスを利用して逆マスターキーを蓋体に取り付ける錠前機構を設けた電子機器を構成した。さらに、上記手段７において、一対のネジボスに対向辺を接触させて逆マスターキーの挿着径に対応する挿着孔を設けた取付板を備えた電子機器を構成した。この構成の結果、ネジボスを利用する本発明によれば、この種の各メーカーで独立的に製作した挿着径が異径で多機種の逆マスターキーの取付に支障無く対応できる。また、取付板を一対のネジボスの間に挿入すればよいので、逆マスターキーの取付用に特別な取付用のネジが不必要になり組立や交換作業等に時間が掛からず部品点数の削減に寄与することができる。
【００５１】
以上説明したように、本発明によれば、内部構造が極めて簡単で、しかも取扱が便利になる等の種々の特長を備えた集合玄関機に好適な電子機器を提供することができる。
【図面の簡単な説明】
【００５２】
【図１】本発明の実施の形態１の構成を示す正面図である。
【図２】図１の底面図である。
【図３】図１の背面図である。
【図４】図１のカメラ部側の縦断面説明図である。
【図５】図１の端子部側の縦断面説明図である。
【図６】窓板のの正面図である。
【図７】実施の形態１の蓋体の成型構造を示す前面図である。
【図８】図７の背面図である。
【図９】実施の形態１の本体の成型構造を示す前面図である。
【図１０】図９の背面図である。
【図１１】実施の形態１のカメラ機構の説明図である。
【図１２】実施の形態１の押し釦機構の説明図である。
【図１３】実施の形態１の押し釦機構の動作説明図である。
【図１４】実施の形態１のスピーカ機構の説明図である。
【図１５】実施の形態１のマイクの入力特性の説明図である。
【図１６】実施の形態１の錠前機構の説明図である。
【図１７】本発明の実施例の構成をブロック図で示す説明図である。
【図１８】従来装置の構成を示す説明図である。
【符号の説明】
【００５３】
１ 集合玄関機、  ２ 筐体、  ２Ａ 蓋体、  ２Ｂ 本体、  ２Ｃ 裏蓋、
３ カメラ部、  ４ 操作部、  ５ 放音部、  ６ 端子部、  ７ 錠前部、
９ 取付面、  １２ａ 監視窓、  １３ 放音孔、  １５ 錠前（逆マスターキー）、
１７ 第２基板（操作基板）、  １７ａ タクトスイッチ（スイッチ素子）、
３０ 俯仰角の調整機構、  ３２ 軸受けボス、  ３３ 切換リブ、  ３３ａ 突出部、
３４ カメラケース、  ３４ｂ 隆起部（滑り止め手段）、  ３４ｃ 支持ボス、
３４ｄ 平行壁、  ３４ｅ 連鎖孔、  ４０ 押し釦機構、  ４１，４２ 釦穴、
４３ 釦部材、  ４４ 釦部、  ４５ 延設部、  ４６ 押し釦、  ５０ スピーカ機構、
５１ スピーカ、  ５２ 取付枠、  ５２ｃ 遮音壁、  ５３ 固定板、
５４ 隙間シール、  ５５ パッキン、  ５６ 防水シート、  ６０ マイク機構、
６１ マイク、  ７０ 錠前機構、  ７０ａ 錠穴、  ７１ ネジボス、
７１ａ 円柱部、  ７１ｂ 板状部、  ７３ 取付板、  ７３ａ 挿着孔、
７３ｂ 切欠部、  ７５ パッキン、  ７６ 調整ナット、  ７７ スイッチ本体、
７７ａ 挿着部、  ７９ フレーム、  ｒ 半径、  Ｒ 内径、
Ｏ−Ｏ カメラの光軸、  θ 俯仰角、ｔｔ
【図１】
2006087129.tif 000003
【図２】
2006087129.tif 000004
【図３】
2006087129.tif 000005
【図４】
2006087129.tif 000006
【図５】
2006087129.tif 000007
【図６】
2006087129.tif 000008
【図７】
2006087129.tif 000009
【図８】
2006087129.tif 000010
【図９】
2006087129.tif 000011
【図１０】
2006087129.tif 000012
【図１１】
2006087129.tif 000013
【図１２】
2006087129.tif 000014
【図１３】
2006087129.tif 000015
【図１４】
2006087129.tif 000016
【図１５】
2006087129.tif 000017
【図１６】
2006087129.tif 000018
【図１７】
2006087129.tif 000019
【図１８】
2006087129.tif 000020